(57)【要約】【課題】性能低下を抑制できる頭部装着型ディスプレイ及び眼鏡を提案する。【解決手段】頭部装着型ディスプレイは、画像を提供する光学部材と、所定の方向に沿って、曲率を有して延伸する中間部材と、前記光学部材に対して所定の間隙を介して配置され、前記所定の方向に沿って曲率を有するように、前記中間部材に取り付けられた調光部材と、を備える。【選択図】図１
2020140139.tif 000002
【特許請求の範囲】
【請求項１】
画像を提供する光学部材と、
所定の方向に沿って、曲率を有して延伸する中間部材と、
前記光学部材に対して所定の間隙を介して配置され、前記所定の方向に沿って、前記中間部材に取り付けられた調光部材と、
を備える、頭部装着型ディスプレイ。
【請求項２】
前記中間部材は、前記所定の方向に沿って、曲率を有して延伸する複数の延伸部を有し、前記調光部材は、前記複数の延伸部に取り付けられる、請求項１に記載の頭部装着型ディスプレイ。
【請求項３】
前記調光部材の両端は、前記中間部材の複数の延伸部に取り付けられる、請求項２に記載の頭部装着型ディスプレイ。
【請求項４】
前記中間部材は、前記調光部材の外周に沿って配置される、請求項１に記載の頭部装着型ディスプレイ。
【請求項５】
前記調光部材は、前記光学部材よりも大きい形状である、請求項１に記載の頭部装着型ディスプレイ。
【請求項６】
前記調光部材は、前記光学部材の前記画像を提供する側とは反対側に配置される、請求項１に記載の頭部装着型ディスプレイ。
【請求項７】
前記調光部材は、前記中間部材に対して、前記曲率の中心側に配置される、請求項１に記載の頭部装着型ディスプレイ。
【請求項８】
前記中間部材は、前記調光部材よりも剛性の高い材料で形成される、請求項１に記載の頭部装着型ディスプレイ。
【請求項９】
前記調光部材は、エレクトロクロミックデバイスである、請求項１に記載の頭部装着型ディスプレイ。
【請求項１０】
前記調光部材は、配線を含む、請求項９に記載の頭部装着型ディスプレイ。
【請求項１１】
前記調光部材は、前記配線を引き出し、前記調光部材のうち平面視形状が平らである端部に配置される端子部を含む、請求項１０に記載の頭部装着型ディスプレイ。
【請求項１２】
前記調光部材は、第一の調光部材と第二の調光部材を含み、前記第一の調光部材の第一の配線の一部と、前記第二の調光部材の第二の配線の一部とが重なって配置される、請求項１０に記載の頭部装着型ディスプレイ。
【請求項１３】
前記光学部材は、前記中間部材に取り付けられる、請求項１に記載の頭部装着型ディスプレイ。
【請求項１４】
前記所定の間隙に配置される、スペーサをさらに備える、請求項１に記載の頭部装着型ディスプレイ。
【請求項１５】
画像を提供する光学部材と、
所定の方向に沿って、曲率を有して延伸する中間部材と、
前記光学部材に対して所定の間隙を介して配置され、前記所定の方向に沿って曲率を有するように、前記中間部材に取り付けられた調光部材と、
を備える、眼鏡。
【請求項１６】
前記中間部材と、前記調光部材は着脱可能に構成される、請求項１５に記載の眼鏡。
【発明の詳細な説明】
【技術分野】
【０００１】
本開示は、頭部装着型ディスプレイ及び眼鏡に関する。
【背景技術】
【０００２】
近年、ユーザの眼前の風景に画像や文字などの付加的な情報を重畳してユーザに提示する拡張現実（ＡＲ：Ａｕｇｍｅｎｔｅｄ  Ｒｅａｌｉｔｙ）と呼ばれる技術が注目されている。拡張現実を実現するためのデバイスとして、頭に装着して利用される頭部装着型ディスプレイ（ＨＭＤ：Ｈｅａｄ  Ｍｏｕｎｔｅｄ  Ｄｉｓｐｌａｙ）が知られている。
【０００３】
特許文献１には、文字及び／または画像を含む表示情報を表示する表示部と、当該表示部よりも外部側に配置された調光フィルターと、を備え、前記調光フィルターの透過率を制御して外部からの光を透過する外光透過型頭部装着ディスプレイと、対象物を判別する判別部と、前記判別部の前記判別に従って前記透過率を制御する制御装置と、を有する視認システムが開示されている。
【先行技術文献】
【特許文献】
【０００４】
【特許文献１】特開２０１７−１０３７６７号公報
【発明の概要】
【発明が解決しようとする課題】
【０００５】
しかしながら、上記従来技術では、性能の低下を引き起こすおそれがある。具体的には、頭部装着型ディスプレイにおける、透過率を制御可能な調光部材として、剛性が高い調光部材を用いることがある。剛性が高い調光部材に曲率を持たせる場合、調光部材は、元の形状に戻る力によって、出荷時の形状から変形し、性能の低下を引き起こすことがある。
【０００６】
なお、上記の問題は、頭部装着型ディスプレイ以外でも生じうる。例えば、剛性が高い調光部材が眼鏡に用いられる場合、調光部材は、元の形状に戻る力によって、出荷時の形状から変形し、性能の低下を引き起こすことがある。
【０００７】
そこで、本開示では、性能低下を抑制できる頭部装着型ディスプレイ及び眼鏡を提案する。
【課題を解決するための手段】
【０００８】
上記の課題を解決するために、本開示に係る一形態の頭部装着型ディスプレイは、画像を提供する光学部材と、所定の方向に沿って、曲率を有して延伸する中間部材と、前記光学部材に対して所定の間隙を介して配置され、前記所定の方向に沿って曲率を有するように、前記中間部材に取り付けられた調光部材と、を備える。
【図面の簡単な説明】
【０００９】
【図１】実施形態に係る頭部装着型ディスプレイを模式的に示す斜視図である。
【図２】実施形態に係る頭部装着型ディスプレイを模式的に示す斜視図である。
【図３】図１のＡ−Ａ矢視における断面図である。
【図４Ａ】図１の方向Ｆ１から見た正面視図である。
【図４Ｂ】実施形態に係る中間部材の他の例を示す図である。
【図４Ｃ】実施形態に係る中間部材の他の例を示す図である。
【図４Ｄ】実施形態に係る中間部材の他の例を示す図である。
【図４Ｅ】実施形態に係る中間部材の他の例を示す図である。
【図４Ｆ】実施形態に係る中間部材の他の例を示す図である。
【図５Ａ】比較例に係る頭部装着型ディスプレイを説明するための断面図である。
【図５Ｂ】比較例に係る頭部装着型ディスプレイを説明するための断面図である。
【図６】実施形態に係る頭部装着型ディスプレイの効果の一例を説明するための図である。
【図７Ａ】実施形態に係る中間部材と調光部材を説明する図である。
【図７Ｂ】実施形態に係る中間部材と調光部材を説明する図である。
【図７Ｃ】実施形態に係る中間部材と調光部材を説明する図である。
【図７Ｄ】実施形態に係る中間部材と調光部材を説明する図である。
【図８】実施形態に係る調光部材の構成を模式的に示す正面視図である。
【図９】実施形態に係る頭部装着型ディスプレイを模式的に示す斜視図である。
【図１０】第１の変形例に係る頭部装着型ディスプレイの断面図である。
【図１１】第１の変形例に係る頭部装着型ディスプレイを模式的に示す斜視図である。
【図１２】第２の変形例に係る頭部装着型ディスプレイを模式的に示す斜視図である。
【図１３】第３の変形例に係る頭部装着型ディスプレイを模式的に示す斜視図である。
【図１４】第３の変形例に係る頭部装着型ディスプレイを模式的に示す側面図である。
【図１５】第３の変形例に係る調光部材を示す正面視図である。
【図１６】第３の変形例に係る調光部材を示す正面視図である。
【図１７】第４の変形例に係る頭部装着型ディスプレイを模式的に示す斜視図である。
【図１８】第４の変形例に係る頭部装着型ディスプレイを模式的に示す正面視図である。
【図１９】第４の変形例に係る頭部装着型ディスプレイを模式的に示す側面図である。
【図２０Ａ】第５の変形例に係る眼鏡を模式的に示す斜視図である。
【図２０Ｂ】図２０ＡのＢ−Ｂ矢視における断面図である。
【図２１Ａ】第５の変形例に係る眼鏡を模式的に示す斜視図である。
【図２１Ｂ】図２１ＡのＣ−Ｃ矢視における断面図である。
【図２２】第６の変形例に係る眼鏡を模式的に示す斜視図である。
【図２３】図２２を観察者側からみた斜視図である。
【発明を実施するための形態】
【００１０】
以下に、本開示の実施形態について図面に基づいて詳細に説明する。なお、以下の各実施形態において、同一の部位には同一の符号を付することにより重複する説明を省略する。
【００１１】
なお、説明は以下の順序で行うものとする。
＜１．頭部装着型ディスプレイの構造＞
＜２．中間部材と調光部材＞
＜３．配線＞
＜４．第１の変形例＞
＜５．第２の変形例＞
＜６．第３の変形例＞
＜７．第４の変形例＞
＜８．第５の変形例＞
＜９．第６の変形例＞
【００１２】
＜１．頭部装着型ディスプレイの構造＞
まず、図１〜図３を参照しながら、本開示に係る透過型の頭部装着型ディスプレイ１００の構成について説明する。図１及び図２は、実施形態に係る頭部装着型ディスプレイ１００を模式的に示す斜視図である。図３は、図１のＡ−Ａ矢視における断面図である。
【００１３】
本実施形態に係る頭部装着型ディスプレイ１００は、観察者の頭部に装着されて使用されるものである。頭部装着型ディスプレイ１００は、観察者の眼前に、外光とともに各種の情報の光（映像光）を提供する。観察者は、実空間の風景に重畳表示された仮想オブジェクトを視認可能である。図１〜図３に示すように、頭部装着型ディスプレイ１００は、フロントブロック１１０と、光学部材１２０と、中間部材１３０と、調光部材１４０と、を有する。なお、頭部装着型ディスプレイ１００は、観察者の頭部に頭部装着型ディスプレイ１００を固定するための部材である装着部（ベルト等）を有するが、図１〜図３では図示することを省略する。後述する図７Ａ〜図７Ｃには、装着部１７０を図示する。
【００１４】
フロントブロック１１０は、観察者の頭部に装着される部位である。フロントブロック１１０は、左右二つのパネル発光部１１１、１１２と、図示しない基板を備える。基板は、観察者に映像を提供する処理を行う。例えば、基板は、頭部装着型ディスプレイ１００の動作を制御する制御部、データを記憶するメモリ、外部の装置との通信部などを有する。基板の制御部は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などにより構成される。フロントブロック１１０には、観察者の頭部に装着するための装着部（例えばベルト）などが接続されてもよい。
【００１５】
左右二つのパネル発光部１１１、１１２は、観察者に対して各種の画像や情報を提示するための画像を出射する。具体的には、左右二つのパネル発光部１１１、１１２は、それぞれ左目用又は右目用の虚像を出射する。ここで、提示される各種の画像や情報は、コンテンツ配信サーバ等から送られてきたデータに基づいて表示される情報でもよいし、頭部装着型ディスプレイ１００に搭載されたメモリに記憶された情報でもよい。また、提示される各種の画像や情報は、ユーザの携帯端末に記憶されているデータやＰＣ（Ｐｅｒｓｏｎａｌ  Ｃｏｍｐｕｔｅｒ）に記憶されているデータが頭部装着型ディスプレイ１００により取得された情報でもよい。なお、携帯端末のユーザは、観察者と同一でもよいし、観察者と異なってもよい。
【００１６】
また、図１〜図３の例では、フロントブロック１１０は、取付面１１３を有する。取付面１１３は、光学部材１２０、中間部材１３０が取り付けられる。なお、取付面１１３は、平面でもよいし、凹凸のある面でもよい。
【００１７】
光学部材１２０は、パネル発光部１１１、１１２で出射された映像光を反射する。その結果、光学部材１２０は、観察者に対して各種の画像や情報を提供する。光学部材１２０は、ガラスなどの光を反射可能な材料で構成されており、ねじ止め又は接着などによりフロントブロック１１０に固定される。図１〜図３の例では、光学部材１２０は、フロントブロック１１０の取付面１１３に固定される。光学部材１２０が外部からの外力を受けた場合、頭部装着型ディスプレイ１００の表示性能が低下する恐れがある。具体的には、ユーザが清掃時にふき取ったときや、把持又は持ち運びしたときに加わる力、落下衝撃による外力や、自重の影響、貼り合わせられた部材の変形による力などにより、表示性能が低下する恐れがある。
【００１８】
中間部材１３０は、後で説明する調光部材１４０を取り付けるための部材である。中間部材１３０は、所定の方向に沿って、曲率を有して延伸する。なお、曲率を有するとは、曲率が０ではないことを示す。中間部材１３０は、フロントブロック１１０から離れる方向に沿って延伸する延伸部１３１、１３２を有する。延伸部１３１、１３２は、互いに離間して設けられる枠部材である。また、延伸部１３１、１３２は、一端がフロントブロック１１０の取付面１１３に固定され、取付面１１３から離れる方向に、かつ、徐々に光学部材１２０に近づく方向に延伸する。また、延伸部１３１、１３２は、光学部材１２０から離れる方向に凸状の形状に湾曲している。換言すれば、延伸部１３１、１３２は、曲率中心が中間部材１３０よりも光学部材１２０側に位置するように円弧状に湾曲している。すなわち、所定の方向とは、光学部材１２０から離れる方向に凸状の形状に湾曲している。
【００１９】
なお、図１〜図３の例では、中間部材１３０は、フロントブロック１１０と一体成型される例を示した。しかし、中間部材１３０は、フロントブロック１１０と別部材として構成されていてもよい。中間部材１３０は、合成樹脂をモールドすることによって成形されてもよい。中間部材１３０を構成する材料は、樹脂材料に限らず、金属材料や合金、あるいはこれらの組み合わせであってもよい。中間部材１３０は、調光部材１４０よりも剛性が高い、または強度が高い素材で構成されてよい。
【００２０】
調光部材１４０は、例えば、エレクトロクロミック素子を透明電極で挟むことによって構成される。透明電極に印加する電圧に応じて、エレクトロクロミック素子の酸化反応、還元反応が生じ、透過率が制御される。明るい屋外などで頭部装着型ディスプレイ１００を使用する際に、外光に対して表示輝度が不足する場合がある。このような場合、調光部材１４０を制御して透過率を制御することで、頭部装着型ディスプレイ１００の視認性を確保することが可能になる。調光部材１４０は、例えば、アクリル系透明樹脂に反射防止用のコーティングなどを施した材料や、ポリカーボネート、アクリル、ナイロンなどで構成される。図１、図２で示した、調光部材１４０の中間部材１３０への取り付け前における形状は矩形状であるが、必ずしも矩形状でなくてもよく、例えば多角形状、楕円形状でもよい。
【００２１】
ところで、頭部装着型ディスプレイ１００の表示性能を低下させないために、調光部材１４０は、光学部材１２０よりも外側に配置されることが多い。換言すると、外側とは、光学部材１２０の画像を提供する側とは反対側であり、観察者に対しては前側である。さらに換言すると、調光部材１４０は、観察者との間で光学部材１２０を挟む位置に配置されるともいえる。また、頭部装着型ディスプレイ１００の最も外側の部品は、曲率を持たせることがある。これは、落下などにより頭部装着型ディスプレイ１００に衝撃が加わった時に外力を分散させるためである。したがって、外側に配置される可能性のある調光部材１４０に、曲率を持たせたい場合がある。
【００２２】
図３に示すように、調光部材１４０は、光学部材１２０に対して所定の間隙を介して配置される。また、調光部材１４０は、所定の方向に沿って曲率を有するように、中間部材１４０に取り付けられる。ここで、曲率を有するとは、延伸部１３１と１３２とを結ぶ方向と交わる方向に沿った断面において、円弧状であることを示す。換言すると、曲率を有するとは、延伸部１３１と１３２とを結ぶ方向と交わる方向に沿った断面において、湾曲していることを示す。なお、調光部材１４０は、元の形状では湾曲していないが、中間部材１３０に取り付けられることにより、湾曲した状態で中間部材１３０に保持される。なお、調光部材１４０のうち、両端が中間部材１３０に取り付けられることにより、湾曲状態を強く保持することが可能となる。
【００２３】
調光部材１４０は、接着材や両面テープなどで取り付けられてもよい。また、調光部材１４０は、中間部材１３０に設けられた溝に嵌め込まれることにより、中間部材１３０で挟み込むように取り付けられてもよい。具体的には、中間部材１３０である延伸部１３１と１３２の対向する面に所定の方向に沿った溝が形成されてもよい。この場合、調光部材１４０は、溝に摺動（スライド）させることにより、中間部材１３０に取り付けられてもよい。
【００２４】
図３では、調光部材１４０が中間部材１３０よりも外側に配置される例を示した。図３において、外側とは光学部材１２０の側とは反対側であり、凸側である。調光部材１４０は、中間部材１３０に対して曲率の中心側とは反対側に配置されている。
【００２５】
しかし、調光部材１４０は、中間部材１３０に対して、曲率の中心側に配置されてもよい。換言すると、調光部材１４０は、中間部材１３０よりも内側に配置されていてもよい。内側とは、光学部材１２０の側であり、観察者側である。また、調光部材１４０は、中間部材１３０に対して、内面側に取り付けられてもよい。調光部材１４０が曲がった状態から元に戻ろうとする力によって、調光部材１４０が外側に変位しようとする。具体的には、調光部材１４０のうち、フロントブロック１１０と接続されている側の端部と、反対側の端部とが、互いに離れる方向に変位し、平らな状態に戻ろうとする。調光部材１４０が中間部材１３０の内側に配置されていると、中間部材１３０は、調光部材１４０の両端部が互いに離れる方向に変位しようとする力を吸収することができる。その結果、中間部材１３０は、湾曲した状態を維持したまま調光部材１４０を保持することができるとともに、中間部材１３０から調光部材１４０が離れてしまうことを防ぐことが可能となる。
【００２６】
図１、図２で示したように、延伸部１３１、１３２は、調光部材１４０の外周に沿って、フロントブロック１１０から離れる方向に延伸している。観察者の視野をなるべく妨げないために、延伸部１３１、１３２は、外周に沿って配置されている。しかし、延伸部１３１、１３２は、曲率を有して延伸していればよく、必ずしも調光部材１４０の外周に沿う必要はない。また、図１〜図３の例では、延伸部１３１、１３２は、同じ方向に並行して延伸しているが、これはあくまでも一例である。この点について、図４Ａ〜図４Ｅを用いて説明する。図４Ａは、図１の方向Ｆ１から見た正面視図である。図４Ｂ〜図４Ｅは、実施形態に係る中間部材１３０の他の例を示す図である。なお、図４Ｂ〜図４Ｅでは、図４Ａと同様の方向Ｆ１から見た正面視図を示す。
【００２７】
図４Ａの例では、延伸部１３１、１３２は、図１〜図３に示した例と同様に、同じ方向に並行して延伸する。しかし、延伸部１３１、１３２は、図４Ｂで示した例のように、フロントブロック１１０から、互いに近づく方向に延伸してもよいし、図４Ｃで示したように互いに離れる方向に延伸してもよい。また、延伸部１３１、１３２は、図４Ｄのように一方が近づく方向に延伸してもよいし、図４Ｅのように一方が離れる方向に延伸してもよい。すなわち、延伸部１３１、１３２のそれぞれに対応する所定の方向は異なっていてもよい。
【００２８】
また、図１〜図３の例では、中間部材１３０が、２つの延伸部１３１、１３２を有する例を示したが、これはあくまでも一例である。この点について、図４Ｆを用いて説明する。図４Ｆは、実施形態に係る中間部材１３０の他の例を示す図である。例えば、中間部材１３０は、図４Ｆに示すように、延伸部１３１、１３２の代わりに、１つの延伸部１３３を有してもよい。図４Ｆに示す例では、延伸部１３３は、調光部材１４０の外周ではなく、調光部材１４０の中央部分に沿って延伸する。
【００２９】
次に、図５Ａ及び図５Ｂを参照して、調光部材１４０が光学部材１２０に対して所定の間隙を介して配置され、中間部材１３０に取り付けられることによる効果の例を説明する。図５Ａ及び図５Ｂは、比較例に係る頭部装着型ディスプレイ９００を説明するための断面図である。図５Ａでは、比較例に係る調光部材９４０を光学部材９２０に貼り付ける前の状態を示す。図５Ｂでは、比較例に係る調光部材９４０を光学部材９２０に貼り付けた後の状態を示す。
【００３０】
一般的に、ある程度の剛性を有し、かつ、曲がった状態で調光部材を製造することは難しい。図５Ａ及び図５Ｂに示すように、曲率を持たせた状態で調光部材９４０を配置する場合には、調光部材９４０を光学部材９２０に貼り付けることも考えらえれる。しかし、調光部材９４０を光学部材９２０に貼り付けた場合、調光部材９４０が曲がった状態から元に戻ろうとすることに起因する反発力が、図５Ｂの矢印で示した向きで光学部材９２０に加わってしまう。これにより、光学部材９２０が変形したり、位置がずれてしたりしてしまうことで、頭部装着型ディスプレイ９００の表示性能が低下してしまう恐れがある。本実施形態に係る調光部材１４０は、光学部材１２０に対して所定の間隙を介して配置され、調光部材１４０よりも剛性の高い中間部材１３０に取り付けられる。これにより、本実施形態に係る頭部装着型ディスプレイ１００によれば、調光部材１４０からの反発力が光学部材１２０に加わることを防ぐことが可能となる。
【００３１】
次に、図６を参照して、調光部材１４０を光学部材１２０に対して所定の間隙を介して配置することによる他の効果の例を説明する。図６は、実施形態に係る頭部装着型ディスプレイ１００の効果の一例を説明するための図である。
【００３２】
頭部装着型ディスプレイ１００に落下衝撃などにより外部から外力が加わった場合、図６のように、外側に配置された、中間部材１３０に取り付けた調光部材１４０が図示した矢印の向きに大きく変位する可能性がある。例えば、図５Ａ及び図５Ｂに示した比較例に係る頭部装着型ディスプレイ９００のように、調光部材９４０が光学部材９２０に貼り付けられた場合、外側に配置された調光部材９４０に加わる外力が光学部材９２０に直接加わるため、光学部材９２０の変形や位置ずれを招く。一方、本実施形態に係る頭部装着型ディスプレイ１００では、中間部材１３０に取り付けた調光部材１４０と、光学部材１２０の間に所定の間隙が設けられるので、中間部材１３０に取り付けた調光部材１４０の変位に起因する応力を、光学部材１２０に対して伝わりにくくすることができる。すなわち、調光部材１４０の変位による影響を、光学部材１２０に与えにくくすることができる。例えば、中間部材１３０に取り付けた調光部材１４０と、光学部材１２０の干渉を防ぐことができる。結果として、光学部材１２０の変形や位置のずれを防ぎ、頭部装着型ディスプレイ１００の表示性能の低下を防ぐことが可能となる。
【００３３】
また、例えば、図５Ａ及び図５Ｂに示した比較例に係る頭部装着型ディスプレイ９００のように、中間部材９３０に取り付けられた調光部材９４０が光学部材９２０に貼り付けられた場合、中間部材９３０の寸法ばらつきによって、光学部材９２０の変形や位置ずれを招く恐れがある。一方、本実施形態に係る頭部装着型ディスプレイ１００では、中間部材１３０に取り付けた調光部材１４０と、光学部材１２０の間に所定の間隙が所定の間隙が設けられることで、中間部材１３０の寸法ばらつきによる影響を低減させることが可能となる。
【００３４】
なお、頭部装着型ディスプレイ１００は、調光部材１４０に加わる外力を吸収する部材を有してもよい。この点について、図６を用いて説明する。図６に示す頭部装着型ディスプレイ１００は、スペーサ１５０を有する。スペーサ１５０は、空間を確保するための部材である。スペーサ１５０は、弾性・伸縮性のある部材であれば何でもよい。中間部材１３０に取り付けた調光部材１４０と、光学部材１２０の間の所定の間隙が小さい場合、スペーサ１５０を所定の間隙に設置することで、中間部材１３０に取り付けた調光部材１４０と、光学部材１２０とを軽接触させてもよい。ここで、軽接触とは、非固定で当て付けることを示す。
【００３５】
なお、スペーサ１５０は、一端がフロントブロック１１０に接続されている延伸部１３１、１３２の他端側に配置されてもよい。頭部装着型ディスプレイ１００に落下衝撃などによる外力が加わると、フロントブロック１１０に固定されていない延伸部１３１、１３２の他端側の方が、一端側よりも大きく変位し、光学部材１２０とぶつかり合う（干渉する）恐れがある。スペーサ１５０が他端側に配置されることで、干渉を和らげることが可能となる。
【００３６】
＜２．中間部材と調光部材＞
次に、図７Ａ〜図７Ｄを参照しながら、中間部材１３０と調光部材１４０に適した大きさや形状、強度について説明する。図７Ａ〜図７Ｄは、実施形態に係る中間部材１３０と調光部材１４０を説明する図である。図７Ａ〜図７Ｃは、頭部装着型ディスプレイ１００がとり得る姿勢の一例である。図７Ａには、上面図を示し、図７Ｂ及び図７Ｃには、側面図を示し、図７Ｄには、正面図を示す。図７Ａ〜図７Ｄに示す頭部装着型ディスプレイ１００は、観察者の頭部に頭部装着型ディスプレイ１００を固定するための装着部１７０を有する。
【００３７】
頭部装着型ディスプレイ１００を床や机などに置く場合、光学部材１２０に対して荷重がかからないように構成されることが望ましい。ユーザが頭部装着型ディスプレイ１００を床や机に置く場合、頭部装着型ディスプレイ１００がとり得る姿勢は様々である。床や机などに置く場合には、頭部装着型ディスプレイ１００の自重（頭部装着型ディスプレイ１００の重さ）が、図７Ａ〜図７Ｃに図示した矢印の向きに加わる。
【００３８】
頭部装着型ディスプレイ１００の中間部材１３０と調光部材１４０である、調光部１６０の大きさは、光学部材１２０の大きさよりも大きく構成するとよい。換言すると、図７Ｄに示すように、正面視において、光学部材１２０のすべてが、調光部材１４０で覆われているとよい。つまり、頭部装着型ディスプレイ１００をあらゆる姿勢で置かれた場合であっても、光学部材１２０が床や机などに接触しないようにすることが望ましい。
【００３９】
図７Ａでは、頭部装着型ディスプレイ１００の側面が床や机と接触する。この場合、光学部材１２０が床や机と接触しないことが望ましい。例えば、頭部装着型ディスプレイ１００の中間部材１３０と調光部材１４０である、調光部１６０の横方向の大きさを、光学部材１２０の横方向の大きさよりも大きく構成するとよい。以降、調光部材１４０の横方向とは、図７Ｄにおける横方向を示し、調光部材１４０の縦方向とは、図７Ｄにおける縦方向を示すものとする。なお、横方向とは、頭部装着型ディスプレイ１００を装着した時の左右方向である。換言すると、横方向とは、フロントブロック１１０の面に沿う方向である。また、縦方向とは、頭部装着型ディスプレイ１００を装着した時の上下方向である。換言すると、縦方向とは、正面視において、フロントブロック１１０から離れ、調光部材１４０に沿う方向である。
【００４０】
図７Ｂでは、頭部装着型ディスプレイ１００が水平状態で床や机に置かれている。このとき、中間部材１３０と調光部材１４０である調光部１６０の下部が床や机と接触する。なお、調光部１６０の下部とは、調光部１６０のうち、フロントブロック１１０側に配置される一端側とは反対側の端部である。または、調光部１６０の下部とは、調光部１６０のうち、頭部装着型ディスプレイ１００を装着した時の下側の領域である。光学部材１２０が接触しないようにするために、例えば、頭部装着型ディスプレイ１００の中間部材１３０と調光部材１４０である、調光部１６０の縦方向の大きさを、光学部材１２０の縦方向の大きさよりも大きく構成する。また、頭部装着型ディスプレイ１００の自重が加わって、中間部材１３０と調光部材１４０が変形したとしても、光学部材１２０に対して影響を及ぼさないような、中間部材１３０と調光部材１４０の強度が必要である。
【００４１】
図７Ｃでは、頭部装着型ディスプレイ１００の装着部１７０と、中間部材１３０と調光部材１４０である調光部１６０の下部が床や机と接触する。接地面に光学部材１２０が含まれないようにするために、例えば、頭部装着型ディスプレイ１００の中間部材１３０と調光部材１４０である、調光部１６０の縦方向の大きさを、光学部材１２０の縦方向の大きさよりも大きく構成する。また、頭部装着型ディスプレイ１００の自重が接地面に加わって、中間部材１３０と調光部材１４０が変形したとしても、光学部材１２０に対して影響を及ぼさないような、中間部材１３０と調光部材１４０の強度が必要である。
【００４２】
このように、頭部装着型ディスプレイ１００の形状や置かれる姿勢を加味して、中間部材１３０と調光部材１４０の大きさや形状、強度を設計することが望ましい。
【００４３】
図７Ｄのように、頭部装着型ディスプレイ１００に対して、どの方向から外力が加わったとしても、光学部材１２０に対して外力がかからないように、光学部材１２０と中間部材１３０、調光部材１４０を設計することが望ましい。例えば、頭部装着型ディスプレイ１００の中間部材１３０と調光部材１４０である、調光部１６０の大きさを、光学部材１２０の大きさよりも大きく構成することで、光学部材１２０を保護し、表示性能の低下を防ぐことが可能である。
【００４４】
＜３．配線＞
次に、図８、図９を参照しながら、調光部材１４０の配線位置について説明する。図８は、実施形態に係る調光部材１４０の構成を模式的に示す正面視図である。図９は、実施形態に係る頭部装着型ディスプレイ１００を模式的に示す斜視図である。
【００４５】
図８のように、調光部材１４０は、調光素子１４１、配線１４２、端子部１４３を備える。調光素子１４１は、透過率が制御される領域である。配線１４２は、透明電極を含み、電圧が印加される。図８において、配線１４２は調光部材１４０の外周に沿って配置されている。配線１４２の端部には、電圧を印加するための端子部１４３がある。端子部１４３は、配線１４２を引き出す。端子部１４３に印加する電圧に応じて、配線部１４２に電流が流れ、調光素子１４１の透過率が制御される。端子部１４３は銅箔などで構成されており、強く曲げられたりすることで、銅箔が剥がれてしまう恐れがある。
【００４６】
端子部１４３は、調光部材１４０のうち、平面視形状が平らである端部に配置される。ここで、平面視における視線方向は、調光部材１４０の端面の鉛直方向のことである。例えば、図９においては、方向Ｆ２、Ｆ３から調光部材１４０をみると、平面視形状が平らである。端子部１４３は、調光部材１４０における平面視形状が平らである端部のうち、点線で示した、基板を含むフロントブロック１１０と対向する側（方向Ｆ２に対応する側）の端面のうちの一部に配置される。端子部１４３が、調光部材１４０のうち、平面視形状が平らである端部に配置されることで、例えば端子部１４３が曲げられて、銅箔が剥がれてしまうことを防ぐことが可能となる。なお、端子部１４３は、フロントブロック１１０から遠い側（方向Ｆ３に対応する側）の端部に配置することも可能である。その場合、配線１４２を延伸部１３１、１３２に沿わせるように配置することで、観察者の視界をより大きく確保することが可能である。なお、端子部１４３が配置された位置から、フレームに沿わせて基板のあるフロントブロック１１０まで配線することで、外側から配線が見えないようにすることが可能である。
【００４７】
＜４．第１の変形例＞
図１０及び図１１を参照して、第１の変形例について説明する。図１０は、第１の変形例に係る頭部装着型ディスプレイ１００の断面図であり、図１１は、第１の変形例に係る頭部装着型ディスプレイ１００を模式的に示す斜視図である。第１の変形例に係る頭部装着型ディスプレイ１００は、光学部材１２０が導光板１２１と光源１２２、１２３で構成されている点が異なる。その他の構成は上で説明した実施形態と同じである。
【００４８】
導光板１２１は、透明部材によって構成される。例えば、導光板１２１はホログラム導光板や誘電体多層膜導光板などである。第１の変形例に係る頭部装着型ディスプレイ１００では、光源１２２、１２３から入射した光が導光板に反射して伝播し、観察者の目に導かれる。導光板１２１と光源１２２、１２３は、フロントブロック１１０の取付面１１３に固定される。
【００４９】
＜５．第２の変形例＞
図１２を参照しながら、第２の変形例について説明する。図１２は、第２の変形例に係る頭部装着型ディスプレイ１００を模式的に示す斜視図である。第２の変形例に係る頭部装着型ディスプレイ１００は、上で説明した実施形態と同じように、延伸部１３１、１３２の一端がそれぞれフロントブロック１１０に接続され、調光部材１４０に沿って配置されている。しかし、延伸部１３１、１３２の他端同士を接続するように、調光部材１３０の外周に沿って補強部１３４が配置されている点が異なる。なお、補強部１３４は曲率を有していない。その他の構成は上で説明した実施形態と同じである。延伸部１３１、１３２、補強部１３４は、同一成形されていてもよいし、別体であってもよい。このように、補強部１３４を配置することで、強度を高めることが可能となる。
【００５０】
なお、第２の変形例において、第１の変形例のように、光学部材１２０が導光板１２１と光源１２２、１２３で構成されていてもよい。
【００５１】
＜６．第３の変形例＞
図１３及び図１４を参照しながら、第３の変形例について説明する。図１３は、第３の変形例に係る頭部装着型ディスプレイ２００を模式的に示す斜視図である。図１４は、第３の変形例に係る頭部装着型ディスプレイ２００を模式的に示す側面図である。
【００５２】
第３の変形例に係る頭部装着型ディスプレイ２００では、調光部材２４０が二枚（２４０Ａ、２４０Ｂ）配置される。中間部材２３０は、延伸部２３１と、補強部２３２、２３３、２３４を有する。補強部２３２、２３３、２３４は、フロントブロック２１０から離れる方向に延伸する。具体的には、補強部２３２、２３３、２３４の一端は、フロントブロック２１０の取付面２１３に取り付けられ、補強部２３２、２３３、２３４は、取付面２１３から離れる方向に延伸する。延伸部２３１は、補強部２３２、２３２、２３４の他端側同士を接続し、調光部材の外周に沿うように配置されている。さらに、延伸部２３１は、所定の方向に沿って、曲率を有して延伸している。ここで、所定の方向とは、フロントブロック２１０から離れる方向と交わる方向である。具体的には、所定の方向とは、頭部装着型ディスプレイ２００の縦方向と交わる方向である。換言すると、所定の方向とは、フロントブロック２１０の取付面２１３に沿う方向である。延伸部２３１は、曲率を有さない部分を含んでいてもよい。例えば、図１３のように、延伸部２３１のうち中央は曲率を有しておらず、中央から離れるにしたがって曲率を有し、端部は曲率を有していなくてもよい。
【００５３】
調光部材２４０Ａ、２４０Ｂは、各々所定の方向に沿って曲率を有するように、中間部材２３０に取り付けられる。調光部材２４０Ａ、２４０Ｂは、光学部材２２０に対して所定の間隙を介して配置されている。なお、第３の変形例において、フロントブロック２１０から離れる方向に対しては、調光部材２４０Ａ、２４０Ｂは曲率を持たない。
【００５４】
フロントブロック２１０から離れる方向に延伸する補強部２３２、２３３、２３４は、全てが配置されなくてもよい。例えば、フロントブロック２１０の中央から延伸する補強部２３３か、フロントブロック２１０の両端側から延伸する補強部２３２と２３４のいずれかが配置されなくてもよい。
【００５５】
第３の変形例において、調光部材２４０Ａ、２４０Ｂの端子部２４３Ａ、２４３Ｂは、平面視形状が平らである端部に配置される。例えば、図１３における方向Ｆ４、Ｆ５からみると平面視形状が平らであるため、端子部２４３Ａ、２４３Ｂは調光部材２４０の正面からみて左右端、すなわち補強部２３２、２３３の一部に対応する位置に配置される。換言すると、調光部材２４０Ａの端子部２４３Ａは、調光部材２４０Ａが補強部２３２に取り付けられる端部に配置される。また、調光部材２４０Ｂの端子部２４３Ｂは、調光部材２４０Ｂが補強部２３３に取り付けられる端部に配置される。これにより、例えば端子部２４３Ａ、２４３Ｂが曲げられ、銅箔が剥がれてしまうことを防ぐことが可能となる。なお、端子部２４３Ａ、２４３Ｂが配置された位置から、フレームに沿わせて基板のあるフロントブロック２１０まで配線することで、外側から配線が見えないようにすることが可能である。
【００５６】
図１５及び図１６は、第３の変形例に係る調光部材２４０Ａ、２４０Ｂを示す正面視図である。図１５には、調光部材２４０Ａ、２４０Ｂを並べて配置した例を示し、図１６には、調光部材２４０Ａ、２４０Ｂを重ねて配置した例を示す。図１５のように調光部材２４０Ａと２４０Ｂが並べて配置された場合、配線２４２Ａと２４２Ｂを合わせた部分の領域だけ、観察者の視界が制限されてしまう恐れがある。図１６のように、調光部材２４０Ａ、２４０Ｂの配線２４２Ａ、２４２Ｂの一部を重ねて配置すると、観察者の視界を、図１５の場合よりも大きく確保することが可能となる。図１６において、２枚の調光部材２４０Ａ、２４０Ｂは同じ形状でよく、製造コストの削減が可能である。
【００５７】
なお、第３の変形例では、光学部材２２０は、パネル発光部２１１、２１２で出射された映像光を反射する部材であったが、第１の変形例のように、光学部材２２０が導光板２２１と光源２２２、２２３で構成されていてもよい。
【００５８】
＜７．第４の変形例＞
図１７〜図１９を参照しながら、第４の変形例について説明する。図１７は、第４の変形例に係る頭部装着型ディスプレイ３００を模式的に示す斜視図である。図１８は、第４の変形例に係る頭部装着型ディスプレイ３００を模式的に示す正面視図である。図１９は、第４の変形例に係る頭部装着型ディスプレイ３００を模式的に示す側面図である。
【００５９】
第４の変形例に係る頭部装着型ディスプレイ３００では、三枚の調光部材３４０Ａ、３４０Ｂ、３４０Ｃが配置されている。中間部材３３０は、補強部３３１、３３２、３３５、３３６、３３８と、延伸部３３３、３３４、３３７、３３９とを含む。中間部材３３０は、所定の方向に沿って、曲率を有して延伸する。延伸部３３３、３３４は、取付面３１３から離れる方向に沿って曲率を有して延伸する。また、延伸部３３７は、延伸部３３３から光学部材３２０に近づく方向に沿って曲率を有して延伸する。延伸部３３９は、延伸部３３４から光学部材３２０に近づく方向に沿って曲率を有して延伸する。なお、補強部３３２と延伸部３３３については、図１７〜図１９で示したように一体成型されてもよいし、別体でもよい。さらに、延伸部３３４と補強部３３５については、図１７〜図１９で示したように一体成型されてもよいし、別体でもよい。また、補強部３３１、３３２、３３５、３３６、３３８と、延伸部３３３、３３４、３３７、３３９とは、調光部材３４０Ａ、３４０Ｂ、３４０Ｃの外周に沿って配置されている。
【００６０】
調光部材３４０Ａ、３４０Ｂ、３４０Ｃは、各々所定の方向に沿って曲率を有するように、中間部材３３０に取り付けられる。調光部材３４０Ｂは、フロントブロック３１０から離れる方向に沿って曲率を有するように中間部材３３０に取り付けられている。ここで、曲率を有するとは、延伸部３３３と３３４とを結ぶ方向と交わる方向に沿った断面において、円弧状であることを示す。換言すると、曲率を有するとは、延伸部３３３と３３４とを結ぶ方向と交わる方向に沿った断面において、湾曲していることを示す。
【００６１】
調光部材３４０Ａと調光部材３４０Ｃは、それぞれ所定の方向に沿って曲率を有するように中間部材３３０に取り付けられている。ここで、曲率を有するとは、取り付け面３１３から離れる方向と交わる方向に沿った断面において、円弧状であることを示す。換言すると、曲率を有するとは、取り付け面３１３から離れる方向と交わる方向に沿った断面において、湾曲していることを示す。また、調光部材３４０Ａと調光部材３４０Ｃは、光学部材３２０と離れる方向に凸状の形状に湾曲している。調光部材３４０Ａ、３４０Ｂ、３４０Ｃは、光学部材３２０に対して所定の間隙を介して配置されている。
【００６２】
第４の変形例において、調光部材が曲率を持たない方向に延伸する補強部３３１、３３２、３３５、３３６、３３８が配置されることで、頭部装着型ディスプレイ３００の強度を向上させることができる。一方、第４の変形例において、調光部材が曲率を持たない方向に延伸する補強部３３１、３３２、３３５、３３６、３３８は、全てが配置されなくてもよい。例えば、補強部３３１、３３６、３３８が配置されなくてもよい。補強部３３２と補強部３３５のうち一方又は両方が削除されてもよい。これにより部品数、ひいてはコストの削減が可能となる。
【００６３】
第４の変形例において、調光部材３４０Ａ、３４０Ｂ、３４０Ｃの端子部３４３Ａ、３４３Ｂ、３４３Ｃは、平面視形状が平らである端部に配置される。例えば、図１８におけるＦ６〜Ｆ１１方向からみて平面視形状が平らであるため、端子部３４３Ａ、３４３Ｂ、３４３Ｃは、補強部３３１、３３２、３３５、３３６、３３８、調光部材３４０Ｂの上部のいずれかに配置される。調光部材３４０Ｂの上部とは、フロントブロック３１０側に配置される一端側である。また、調光部材３４０Ｂの上部とは、調光部材３４０Ｂのうち、頭部装着型ディスプレイ３００を装着した時の上側の端部である。調光部材３４０Ａの端子部３４３Ａは、調光部材３４０Ａが補強部３３１に取り付けられる端部に配置される。また、例えば、調光部材３４０Ｂの端子部３４３Ｂは、調光部材３４０Ｂの上部に配置される。また、例えば、調光部材３４０Ｃの端子部３４３Ｃは、調光部材３４０Ｃが補強部３３６に取り付けられる端部に、配置される。これにより、例えば端子部３４３Ａ、３４３Ｂ、３４３Ｃが曲げられて銅箔が剥がれてしまうことを防ぐことが可能となる。なお、端子部３４３Ａ、３４３Ｂ、３４３Ｃが配置された位置から、フレームに沿わせて基板のあるフロントブロック３１０まで配線することで、外側から配線が見えないようにすることが可能である。また、調光部材３４０Ａ、３４０Ｂ、３４０Ｃの配線３４２Ａ、３４２Ｂ、３４３Ｃのうちいずれかの一部を重ねて配置してもよい。これにより、観察者の視界を、大きく確保することが可能となる。
【００６４】
なお、第４の変形例では、光学部材３２０は、パネル発光部３１１、３１２で出射された映像光を反射する部材であったが、第１の変形例のように、光学部材３２０が導光板３２１と光源３２２、３２３で構成されていてもよい。
【００６５】
＜８．第５の変形例＞
図２０Ａ及び図２０Ｂを参照しながら、第５の変形例について説明する。第５の変形例では、通常の眼鏡４００に調光部材４４０を実装している。図２０Ａは、第５の変形例に係る眼鏡４００を模式的に示す斜視図である。図２０Ｂは、図２０ＡのＢ−Ｂ矢視における断面図である。図２０Ａに示すように、眼鏡４００は、光学部材としてのレンズ４２０Ａ、４２０Ｂと、中間部材としてのフレーム４３０と、調光部材４４０Ａ、４４０Ｂを含む。
【００６６】
図２０Ａのように、眼鏡４００の光学部材であるレンズ４２０Ａ、４２０Ｂが、中間部材であるフレーム４３０に取り付けられている。調光部材４４０Ａ、４４０Ｂは、所定の方向に曲率を有するようにフレーム４３０に取り付けられている。図２０Ａにおいては、所定の方向とは眼鏡４００を装着した時の上下方向である。図２０Ｂに示したように、調光部材４４０Ａ、４４０Ｂは、レンズ４２０Ａ、４２０Ｂに対して所定の間隙を介して配置されている。なお、レンズ４２０Ａ、４２０Ｂは凸レンズであってもよいし、凹レンズであってもよい。
【００６７】
続いて、眼鏡の他の構成例について説明する。図２１Ａは、第５の変形例に係る眼鏡５００を模式的に示す斜視図である。図２１Ｂは、図２１ＡのＣ−Ｃ矢視における断面図である。図２１Ａに示すように、眼鏡５００は、光学部材としてのレンズ５２０Ａ、５２０Ｂと、中間部材としてのフレーム５３０と、調光部材５４０Ａ、５４０Ｂを含む。
【００６８】
図２１Ａのように、眼鏡５００の光学部材であるレンズ５２０Ａ、５２０Ｂが、中間部材であるフレーム５３０に取り付けられている。調光部材５４０Ａ、５４０Ｂは、所定の方向に曲率を有するようにフレーム５３０に取り付けられている。図２１Ａにおいては、所定の方向とは眼鏡４００を装着した時の左右方向である。図２１Ｂに示したように、調光部材５４０Ａ、５４０Ｂは、レンズ５２０Ａ、５２０Ｂに対して所定の間隙を介して配置されている。なお、レンズ５２０Ａ、５２０Ｂは凸レンズであってもよいし、凹レンズであってもよい。
【００６９】
第５の変形例では、眼鏡４００、５００のレンズ４２０Ａ、４２０Ｂ、５２０Ａ、５２０Ｂと調光部材４４０Ａ、４４０Ｂ、５４０Ａ、５４０Ｂが、同一のフレーム４３０、５３０に取り付けられる例を示した。換言すると、第５の変形例では、光学部材（レンズ）が、中間部材（フレーム）に取り付けられる。フレーム４３０、５３０に所定の厚さを持たせることで、所定の方向に沿って曲率を有した調光部材４４０Ａ、４４０Ｂ、５４０Ａ、５４０Ｂを、フレーム４３０、５３０に取り付けることが可能となる。レンズの凸量やメガネの傾き程度、デザインに合わせて、所定の方向を選択することが可能である。第５の変形例では、眼鏡を例に挙げているが、中間部材が光学部材と調光素子の両方を保持する構成は、頭部装着型ディスプレイ１００、２００、３００にも適用できる。
【００７０】
また、第５の変形例に係る眼鏡４００、５００は、上述してきたパネル発光部等の光学部材を有してもよい。この場合、眼鏡４００、５００は、フレーム４３０、５３０に、光学部材を有する。なお、眼鏡４００、５００は、図３に示した例のように、パネル発光部で出射された映像光を反射することで観察者に映像を提供する方式、または、図１０に示した例のように、光源からの光が導光板に反射して伝播することで観察者に映像を提供する方式のいずれの方式にも適用可能である。
【００７１】
＜９．第６の変形例＞
図２２〜図２３を参照しながら、第６の変形例について説明する。図２２は、第６の変形例に係る眼鏡６００を模式的に示す斜視図である。図２３は、図２２を観察者側からみた斜視図である。図２２及び図２３に示すように、眼鏡６００は、光学部材としてのレンズ６２０Ａ、６２０Ｂと、中間部材６３０と、調光部材６４０Ａ、６４０Ｂと、フレーム６７０を含む。
【００７２】
第６の変形例は、通常の眼鏡に調光部材６４０を実装している点においては、第５の変形例と同じである。第６の変形例では、眼鏡６００の光学部材であるレンズ６２０Ａ、６４０Ｂが取り付けられているフレーム６７０とは別の中間部材６３０に、調光部材６４０が取り付けられるように構成されている。なお、レンズ６２０Ａ、６２０Ｂは凸レンズであってもよいし、凹レンズであってもよい。
【００７３】
図２２のように、中間部材６３０は、延伸部６３１、６３２、６３３、６３４を有する。延伸部６３１、６３２、６３３、６３４はそれぞれ所定の方向に沿って、曲率を有して延伸する。調光部材６４０Ａ、６４０Ｂは、所定の方向に沿って曲率を有するように中間部材６３０に取り付けられる。図２２のように、レンズ６２０Ａ、６２０Ｂは二方向に対して曲率を有している。調光部材６４０は、レンズ６２０に対して所定の間隙を介して配置されている。また、レンズ６２０Ａ、６２０Ｂが取り付けられたフレーム６７０の中央部と、調光部材６４０Ａ、６４０Ｂが取り付けられた中間部材６３０の中央部が接続されており、着脱可能に構成されている。
【００７４】
図２３において、延伸部６３１、６３２のうち、眼鏡６００の中央部から離れた側の端部同士を接続するように、調光部材６４０の外周に沿って補強部６３５が配置されてもよい。また、延伸部６３３、６３４のうち、眼鏡６００の中央部から離れた側の端部同士を接続するように、調光部材６４０の外周に沿って補強部６３６が配置されてもよい。これにより、眼鏡６００の強度を高めることが可能となる。また、第６の変形例では、眼鏡を例に挙げているが、頭部装着型ディスプレイ１００、２００、３００であってもよい。
【００７５】
なお、本明細書に記載された効果はあくまで例示であって限定されるものでは無く、また他の効果があってもよい。つまり、本開示に係る技術は、上記の効果とともに、または上記の効果に代えて、本明細書の記載から当業者には明らかな他の効果を奏しうる。
【００７６】
なお、本技術は以下のような構成も取ることができる。
（１）
画像を提供する光学部材と、
所定の方向に沿って、曲率を有して延伸する中間部材と、
前記光学部材に対して所定の間隙を介して配置され、前記所定の方向に沿って、前記中間部材に取り付けられた調光部材と、
を備える、頭部装着型ディスプレイ。
（２）
前記中間部材は、前記所定の方向に沿って、曲率を有して延伸する複数の延伸部を有し、前記調光部材は、前記複数の延伸部に取り付けられる、前記（１）に記載の頭部装着型ディスプレイ。
（３）
前記調光部材の両端は、前記中間部材の複数の延伸部に取り付けられる、前記（１）又は（２）に記載の頭部装着型ディスプレイ。
（４）
前記中間部材は、前記調光部材の外周に沿って配置される、前記（１）に記載の頭部装着型ディスプレイ。
（５）
前記調光部材は、前記光学部材よりも大きい形状である、前記（１）に記載の頭部装着型ディスプレイ。
（６）
前記調光部材は、前記光学部材の前記画像を提供する側とは反対側に配置される、前記（１）に記載の頭部装着型ディスプレイ。
（７）
前記調光部材は、前記中間部材に対して、前記曲率の中心側に配置される、前記（１）に記載の頭部装着型ディスプレイ。
（８）
前記中間部材は、前記調光部材よりも剛性の高い材料で形成される、前記（１）に記載の頭部装着型ディスプレイ。
（９）
前記調光部材は、エレクトロクロミックデバイスである、前記（１）に記載の頭部装着型ディスプレイ。
（１０）
前記調光部材は、配線を含む、前記（１）又は（９）に記載の頭部装着型ディスプレイ。
（１１）
前記調光部材は、前記配線を引き出し、前記調光部材のうち平面視形状が平らである端部に配置される端子部を含む、前記（１）、（９）〜（１０）のいずれかに記載の頭部装着型ディスプレイ。
（１２）
前記調光部材は、第一の調光部材と第二の調光部材を含み、前記第一の調光部材の第一の配線の一部と、前記第二の調光部材の第二の配線の一部とが重なって配置される、前記（１）、（９）〜（１０）に記載の頭部装着型ディスプレイ。
（１３）
前記光学部材は、前記中間部材に取り付けられる、前記（１）に記載の頭部装着型ディスプレイ。
（１４）
前記所定の間隙に配置される、スペーサをさらに備える、前記（１）に記載の頭部装着型ディスプレイ。
（１５）
画像を提供する光学部材と、
所定の方向に沿って、曲率を有して延伸する中間部材と、
前記光学部材に対して所定の間隙を介して配置され、前記所定の方向に沿って曲率を有するように、前記中間部材に取り付けられた調光部材と、
を備える、眼鏡。
（１６）
前記中間部材と、前記調光部材は着脱可能に構成される、前記（１５）に記載の眼鏡。
【符号の説明】
【００７７】
１００  頭部装着型ディスプレイ
１１０  フロントブロック
１１１、１１２  パネル発光部
１１３  取付面
１２０  光学部材
１３０  中間部材
１３１、１３２、１３３  延伸部
１３４  補強部
１４０  調光部材
１４１  調光部
１４２  配線
１４３  端子部
１５０  スペーサ
１６０  調光部
１７０  装着部
【図１】
2020140139.tif 000003
【図２】
2020140139.tif 000004
【図３】
2020140139.tif 000005
【図４Ａ】
2020140139.tif 000006
【図４Ｂ】
2020140139.tif 000007
【図４Ｃ】
2020140139.tif 000008
【図４Ｄ】
2020140139.tif 000009
【図４Ｅ】
2020140139.tif 000010
【図４Ｆ】
2020140139.tif 000011
【図５Ａ】
2020140139.tif 000012
【図５Ｂ】
2020140139.tif 000013
【図６】
2020140139.tif 000014
【図７Ａ】
2020140139.tif 000015
【図７Ｂ】
2020140139.tif 000016
【図７Ｃ】
2020140139.tif 000017
【図７Ｄ】
2020140139.tif 000018
【図８】
2020140139.tif 000019
【図９】
2020140139.tif 000020
【図１０】
2020140139.tif 000021
【図１１】
2020140139.tif 000022
【図１２】
2020140139.tif 000023
【図１３】
2020140139.tif 000024
【図１４】
2020140139.tif 000025
【図１５】
2020140139.tif 000026
【図１６】
2020140139.tif 000027
【図１７】
2020140139.tif 000028
【図１８】
2020140139.tif 000029
【図１９】
2020140139.tif 000030
【図２０Ａ】
2020140139.tif 000031
【図２０Ｂ】
2020140139.tif 000032
【図２１Ａ】
2020140139.tif 000033
【図２１Ｂ】
2020140139.tif 000034
【図２２】
2020140139.tif 000035
【図２３】
2020140139.tif 000036